(57)【要約】【課題】小型化およびコストダウンができるＸ線イメージ管装置10を提供する。【解決手段】Ｘ線像を可視光像に変換するＸ線イメージ管11を設ける。Ｘ線イメージ管11で変換した可視光像を撮影するカメラ本体21を有するカメラ20を設ける。カメラ20は、カメラ本体21の駆動と映像信号および制御信号の伝送のインターフェースとしてＵＳＢ方式を用いたＵＳＢポート22を有する。ＵＳＢポート22とパソコン31のＵＳＢポート32とをＵＳＢケーブル33で接続する。カメラ20は、映像信号の伝送のみを機能として有し、パソコン31からの駆動制御で動作する。パソコン31は、カメラ20のカメラ本体21を駆動制御し、カメラ20から伝送されてくる映像信号を取り込んで処理する。【選択図】図１
2010050678.tif 000002
【特許請求の範囲】
【請求項１】
Ｘ線像を可視光像に変換するＸ線イメージ管と、
このＸ線イメージ管で変換された可視光像を撮影するカメラ本体を有するとともに、このカメラ本体の駆動と映像信号および制御信号の伝送のインターフェースとしてＵＳＢ方式が用いられたＵＳＢ入出力部を有するカメラと
を具備していることを特徴とするＸ線イメージ管装置。
【請求項２】
請求項１記載のＸ線イメージ管装置と、
このＸ線イメージ管装置のＵＳＢ入出力部に対してＵＳＢケーブルで接続されるＵＳＢポートを有し、Ｘ線イメージ管装置のカメラを駆動制御し、カメラからの映像信号を取り込んで処理する処理装置と
を具備していることを特徴とするイメージングシステム。
【発明の詳細な説明】
【技術分野】
【０００１】
本発明は、Ｘ線像を可視光像の映像として出力するＸ線イメージ管装置およびイメージングシステムに関する。
【背景技術】
【０００２】
Ｘ線イメージ管を用いた医用のＸ線診断装置や産業用の非破壊検査装置などでは、Ｘ線管からのＸ線の照射で被写体を透過したＸ線像をＸ線イメージ管により可視光像に変換し、この可視光像をカメラで撮像し、このカメラで撮像した映像を、モニタに映して観察したり、パソコンに取り込んで検査や診断等の処理をしている。
【０００３】
一般に、カメラは、アナログ信号（ＮＴＳＣやＰＡＬ）かディジタル信号（カメラリンク等）のどちらかの方式で、パソコン等の処理系やモニタ等の映像系統に映像信号を伝達している。
【０００４】
昨今の非破壊検査では、処理系等のディジタル化が進み、過半数ないし大多数のケースにおいて、カメラからの映像信号をパソコンに取り込んで処理している。このような場合、アナログでもディジタルでも映像信号に合ったキャプチャボード等の映像取込装置が用いられている。
【０００５】
また、カメラは、所定の方式に映像信号を処理して出力するカメラコントロールユニットを用いていることが多い（例えば、特許文献１参照）。
【特許文献１】特開２００７−１３２８３３号公報（第３−５頁、図１）
【発明の開示】
【発明が解決しようとする課題】
【０００６】
従来、カメラからの映像信号をパソコンに取り込んで処理する場合、キャプチャボード等の映像取込装置が必要となるが、この映像取込装置は比較的高額であり、ユーザーに負担がかかる問題がある。
【０００７】
また、カメラは、所定の方式に映像信号を処理して出力するカメラコントロールユニットを用いていることが多く、大型化およびコスト増を招く問題がある。特に、カメラコントロールユニットそのものに駆動回路、信号処理回路を持つが、これらの機能はパソコンで代用できる機能が多く、これもコスト増に繋がるばかりか、不要な処理が入って映像の画質低下を招く一因ともなる。
【０００８】
本発明は、このような点に鑑みなされたもので、小型化およびコストダウンができるＸ線イメージ管装置およびイメージングシステムを提供することを目的とする。
【課題を解決するための手段】
【０００９】
本発明のＸ線イメージ管装置は、Ｘ線像を可視光像に変換するＸ線イメージ管と、このＸ線イメージ管で変換された可視光像を撮影するカメラ本体を有するとともに、このカメラ本体の駆動と映像信号および制御信号の伝送のインターフェースとしてＵＳＢ方式が用いられたＵＳＢ入出力部を有するカメラとを具備しているものである。
【００１０】
本発明のイメージングシステムは、請求項１記載のＸ線イメージ管装置と、このＸ線イメージ管装置のＵＳＢ入出力部に対してＵＳＢケーブルで接続されるＵＳＢポートを有し、Ｘ線イメージ管装置のカメラを駆動制御し、カメラからの映像信号を取り込んで処理する処理装置とを具備しているものである。
【発明の効果】
【００１１】
本発明によれば、カメラが、Ｘ線イメージ管で変換された可視光像を撮影するカメラ本体を有するとともに、このカメラ本体の駆動と映像信号および制御信号の伝送のインターフェースとしてＵＳＢ方式が用いられたＵＳＢ入出力部を有するため、従来用いられていた画像取込装置やカメラコントロールユニットを省くことができ、小型化およびコストダウンができる。
【発明を実施するための最良の形態】
【００１２】
以下、本発明の一実施の形態を、図面を参照して説明する。
【００１３】
図１において、10はＸ線イメージ管装置で、このＸ線イメージ管装置10は、Ｘ線イメージ管11を備えている。このＸ線イメージ管11は、真空外囲器12を有し、この真空外囲器12のＸ線の入射側には入力窓13が形成され、入力窓13に対して反対側には出力窓14が形成されている。真空外囲器12内には、入力窓13の内側に入射したＸ線を電子に変換して放出する入力面15が設けられ、出力窓14の内側に入力面15からの電子を可視光像に変換して出力する出力面16が設けられている。
【００１４】
入力面15から出力面16に向かって進行する電子の進路に沿って電子を加速、集束する電子レンズ17が配設されている。この電子レンズ17は、入力面15に負の電圧を加えるカソード電極、出力面16に高い正の電圧を加えるアノード電極、これらカソード電極とアノード電極との間に配置される加速・集束電極としての電極18などで構成されている。この電子レンズ17には高圧電源である電源19から所定の電圧が印加される。
【００１５】
Ｘ線イメージ管11の出力窓14には出力面16に結像された可視光像を撮像するカメラ20が配設されている。このカメラ20は、例えばＣＣＤなどの撮像部を有するカメラ本体21を有しているとともに、このカメラ本体21の駆動と映像信号および制御信号の伝送のインターフェースとしてＵＳＢ（Universal Serial Bus）方式が用いられたＵＳＢ入出力部としてのＵＳＢポート22を有している。このＵＳＢポート22は、ＵＢＳ方式におけるデバイス側のＵＳＢポートである。
【００１６】
また、31は処理装置としてのパーソナルコンピュータ（以下、パソコンという）で、このパソコン31は、ホスト側のＵＳＢポート32を有している。このパソコン31のＵＳＢポート32とカメラ20のＵＳＢポート22とがＵＳＢケーブル33で接続されている。
【００１７】
パソコン31は、カメラ20のカメラ本体21を駆動制御したり、カメラ20から伝送されてくる映像信号を取り込んで処理するアプリケーションを有している。
【００１８】
そして、Ｘ線イメージ管装置10とパソコン31とでイメージングシステム41が構成されている。
【００１９】
このイメージングシステムでは、カメラ本体21への電源供給はＵＳＢバスパワーを用いる。そのため、パソコン31の電源のオン、オフに関わらず、パソコン31のＵＳＢポート32とカメラ20のＵＳＢポート22とがＵＳＢケーブル33で接続されていれば、カメラ本体21への電源供給が可能となる。但し、パソコン31の電源が外されている場合を除く。
【００２０】
そして、カメラ20は、映像信号の伝送のみを機能として有し、パソコン31からの駆動制御で動作する。
【００２１】
一方、パソコン31は、カメラ20のカメラ本体21を駆動制御し、カメラ20から伝送されてくる映像信号を取り込んで処理する。
【００２２】
通常のパソコン31ではＵＳＢポート32を有しているため、カメラ20から伝送されてくる映像信号を取り込んで処理することができ、従来用いられていたキャプチャボード等の映像取込装置は不要となる。
【００２３】
また、カメラ20には、カメラ本体21の撮像部（一般的なカメラヘッド部）にＵＳＢバスパワーを供給するため、従来用いられていたカメラコントロールユニットが不要となる。
【００２４】
このように、カメラ20が、Ｘ線イメージ管11で変換された可視光像を撮影するカメラ本体21を有するとともに、このカメラ本体21の駆動と映像信号および制御信号の伝送のインターフェースとしてＵＳＢ方式が用いられたＵＳＢポート22を有するため、従来用いられていた画像取込装置やカメラコントロールユニットを省くことができ、装置全体として小型化、コストダウンができる。
【００２５】
しかも、カメラ20は映像の伝送のみを機能として有し、画像処理等はユーザー側でアプリケーションを組んで用途に合わせたカスタマイズを行って開発できる。この際、アプリケーションはＵＳＢ制御できるものであれば特に問題ない。したがって、使用用途に応じたアプリケーション開発を容易にできるＸ線イメージ管装置を提供できる。
【００２６】
なお、処理装置としては、パソコン31に限らず、他の処理機器でもよい。
【図面の簡単な説明】
【００２７】
【図１】本発明の一実施の形態を示すＸ線イメージ管装置の構成図である。
【符号の説明】
【００２８】
10    Ｘ線イメージ管装置
11    Ｘ線イメージ管
20    カメラ
21    カメラ本体
22    ＵＳＢ入出力部としてのＵＳＢポート
31    処理装置としてのパーソナルコンピュータ
32    ＵＳＢポート
33    ＵＳＢケーブル
【図１】
2010050678.tif 000003